(57)【要約】 【課題】ボトルの自然脱落を防ぐ。ボトルの挿脱操作を容易にする。複数のボトルをまとまった状態で安定して保持する。吊下げ部材を他用途にも使用可能とする。  【解決手段】ホルダ本体1は、ヒンジ部4を介して互いに連設された下板部3とこの下板部の上面をほぼ全面的に覆う上板部2とから成る。下板部には、ボトル頭部B1を挿通可能な大径部5aとボトル頸部B2の径と略同一径の小径部5bとを有するだるま型をした保持孔5が複数形成されている。そして、上板部には、下板部上方に折り返したときに下板部の上記保持孔の小径部と重なる位置に、ボトル頭部の径方向移動を規制する規制孔7が形成されている。ボトルをホルダ本体に保持させた状態でボトル下部の全体外周を固定リング11によって固定する。吊下げ紐9が携帯電話のストラップとなる。【選択図】    図１
2005313923.tif 000002
【特許請求の範囲】
【請求項１】
ボトルの頸部を保持する保持孔が所要の間隔をおいて複数個形成された合成樹脂製板材から成るホルダ本体に吊下げ部材を取付けて成るボトル吊下げ用ホルダであって、
上記ホルダ本体は、ヒンジ部を介して互いに連設された下板部とこの下板部の上面をほぼ全面的に覆う上板部とから成り、
下板部には、ボトルの頭部を挿通可能な大径部とボトルの頸部の径と略同一径の小径部とを有するだるま型をした保持孔が複数形成され、
上板部には、下板部上方に折り返したときに下板部の上記保持孔の小径部と重なる位置に、ボトルの頭部の径方向移動を規制する規制孔が形成されている、
ことを特徴とするボトル吊下げ用ホルダ。
【請求項２】
請求項１記載のボトル吊下げ用ホルダにおいて、
ホルダ本体に保持された複数のボトルの全体を外側から弾性的に固定する固定リングを更に備える、
ことを特徴とするボトル吊下げ用ホルダ。
【請求項３】
前記ホルダ本体のヒンジ部と直交する方向の左右側縁部に、把持片を一体的に連設し、
両把持片は、外側縁部が上板部の上方で互いに重合されて前記吊下げ部材を構成する、
請求項１もしくは２記載のボトル吊下げ用ホルダ。
【請求項４】
前記規制孔は、ボトル頭部の径よりも僅かに小さく、放射方向に複数の切込みが形成されている、
請求項１もしくは２記載のボトル吊下げ用ホルダ。
【請求項５】
前記吊下げ部材は、基端部が前記下板部の中央部に固着される一方、先端部が前記上板部に形成された通孔を通って上板部上方に延びる紐状もしくは帯状部材から成る、
請求項１もしくは２記載のボトル吊下げ用ホルダ。
【請求項６】
前記紐状もしくは帯状部材から成る吊下げ部材は、基端部を下板部に着脱自在に固定され、ホルダ本体から取り外し可能である、
請求項５記載のボトル吊下げ用ホルダ。
【請求項７】
前記吊下げ部材が携帯電話のストラップとして使用可能な紐状もしくは帯状部材から成る、
請求項６記載のボトル吊下げ用ホルダ。
【発明の詳細な説明】
【技術分野】
【０００１】
本発明は、ボトルなどのボトルを数本まとめて運搬する際に使用されるホルダに関するものである。
【背景技術】
【０００２】
消費者がコンビニなどで購入した各種の飲料水あるいは食用油や醤油などの調味料を容れたボトル（ポリエチレンテレフタレート（polyethylene terephthalate ）製透明容器）は、一般には他の購入商品とともにビニル袋に入れて運搬される。しかし、こうした運搬手段では、ビニル袋内の他の商品を傷つけたりすることがあるため、ボトル数本をまとめて運搬する専用の保持具が特開平８−３０１７５５号に提案されている。
【０００３】
この公報（特許文献１）記載の保持具は、薄板状の本体部にボトルの頸部とほぼ等しい径の孔を形成し、この孔に放射状の切込みを設ける一方、保持部間に手提げハンドルを取付けて成る。
頭部を本体部の下方から孔部内に挿込まれたボトルは、切込みによって片状に形成された保持部を押し上げつつ頭部が孔上方に抜け、頸部の鍔部が保持部に支承されて抜止めされる。
【０００４】
【特許文献１】特開平８−３０１７５５号（第２頁、図１）
【発明の開示】
【発明が解決しようとする課題】
【０００５】
上記保持具は、ボトル頭部を孔に挿着するときと抜くときに保持部が上下に撓んで孔の径を拡げ、頸部を受け入れたときもしくは頭部が離脱したときに孔の本来の径（頸部とほぼ同じ径）の位置に復帰する。
【０００６】
したがって、この保持具は、運搬時にボトルと内部液体の総重量及び運搬時の手振り運動による負荷がかかっても保持部が下方に撓むことはなく、それでいてボトルの挿着時と引き抜き時には保持部が上方もしくは下方に撓むものでなければならない。
【０００７】
しかしながら、運搬時におけるボトルの自然離脱を防止するために撓み性の小さな保持部を形成すると、挿着及び引き抜きに大きな力が必要となる。逆に撓み性の大きな保持部を形成して挿着と引き抜きを小さな力で無理なく行えるようにしようとすると、運搬時に自然脱落する危険がある。
いずれにしろ、上記保持具は、運搬時に常にボトル総重量が保持部を撓ませて孔を拡開する方向に作用することになり、繰り返し使用による保持部の耐久性に欠ける。
【０００８】
また、この保持具は、ボトル頸部の鍔部を薄板の保持部が支承し、薄板状本体部の中央を手提げハンドルによって吊り下げる構造であるため、ボトルの下部、特に内容量の大きなボトルの下部が互いに離れる傾向にある。特に運搬時に手を振って歩行すると、その傾向が著しく、保持部全体でなく一部の保持部にのみ重量等の負荷がかかり、安定しない。
【０００９】
更に、この種の保持具は、吊下げ具が単に紐もしくは帯状部材もしくはホルダ本体と同じ板材によって形成されていて、ホルダ本体に固定もしくは一体化されているため、吊下げ具の他用途への利用ができない。
【００１０】
本発明の目的は、ボトルを保持させたときにボトルの総重量がボトルを保持孔から離脱する方向には作用せず、ボトルの自然脱落を防ぐことができるとともに繰り返し使用による耐久性に優れ、かつボトルの挿脱操作も大きな力を加えずに無理なく行うことができる、ボトル吊下げ用ホルダを提供することにある。
【００１１】
また、本発明の別の目的は、保持された複数のボトルの下部が互いに離れるなどして不安定になることがなく、複数のボトルをまとまった状態で安定して保持する、ボトル吊下げ用ホルダを提供することにある。
【００１２】
更に、本発明の別の目的は、吊下げ部材を他用途にも使用可能な、ボトル吊下げ用ホルダを提供することにある。
【課題を解決するための手段】
【００１３】
本発明は、上記目的を達成するために次の構成を備える点に特徴がある。
すなわち、本発明に係るホルダは、ボトルの頸部を保持する保持孔が所要の間隔をおいて複数個形成された合成樹脂製板材から成るホルダ本体に吊下げ部材を取付けて成るボトル吊下げ用ホルダを改良したものである。ホルダ本体は、ヒンジ部を介して互いに連設された下板部とこの下板部の上面をほぼ全面的に覆う上板部とから成る。下板部には、ボトルの頭部を挿通可能な大径部とボトルの頸部の径と略同一径の小径部とを有するだるま型をした保持孔が複数形成されている。そして、上板部には、下板部上方に折り返したときに下板部の上記保持孔の小径部と重なる位置に、ボトルの頭部の径方向移動を規制する規制孔が形成されている。
【００１４】
請求項１記載のホルダは、上記構成に加えて、ホルダ本体に保持された複数のボトルの全体を外側から弾性的に固定する固定リングを更に備える。
【００１５】
保持孔は、保持されるボトルが互いに干渉しない範囲で下板部の板面に任意の方向を向いて複数形成される。
規制孔は、ボトル頭部の径とほぼ同一径か、ボトル頭部の径よりも僅かに小さい径で放射方向に多数の切込みを有するように形成される。
規制孔は、保持孔と同じ数だけ設けられる。
【００１６】
ヒンジ部は、上板部を下板部と対面する位置と外方に開いた位置とに変位可能なものであれば、具体的な構造や形状のいかんを問うものではない。
【００１７】
吊下げ部材は、ホルダ本体の板面を延設して形成したもの、例えば、ホルダ本体のヒンジ部と直交する方向の左右側縁部に把持片を一体的に連設し、両把持片の外側縁部を上板部の上方で互いに重合されるようにしたものであっても良い。
また、吊下げ部材は、基端部が前記下板部の中央部に固着される一方、先端部が前記上板部に形成された通孔を通って上板部上方に延びる紐状もしくは帯状部材から成るものでも良い。
【００１８】
紐状もしくは帯状部材から成る吊下げ部材は、基端部を下板部に着脱自在に固定され、ホルダ本体から取外し可能なものとすることもできる。取外し可能なものの場合、吊下げ部材を携帯電話のストラップとして使用可能な紐状もしくは帯状部材によって構成することもできる。
【発明の効果】
【００１９】
本発明によれば、次の効果を奏する。
ボトル頭部を保持孔の大径部に挿通し、ボトル頸部を保持孔端縁部に沿ってスライドさせて小径部に係止させ、上から上板部を被せることにより、複数本のボトル頭部を規制孔内に一度にとどめることができるので、ボトル頸部をホルダ本体の小径部に径方向への移動を規制した状態でしっかりと保持できるばかりでなく、ホルダ本体へのペットボトルの装着も簡単かつ短時間で行うことができる。
【００２０】
また、ボトルの総重量が小径部の縁部に支持されるので、運搬中などにボトル頭部が保持孔及び規制孔内で上下しても、その作用力はペットボトルを保持孔から離脱させる方向に働くものではないので、ペットボトルの脱落を極力防止することができる。
【００２１】
また、ボトルの挿脱も保持孔の挿通と径方向へのスライド操作によって大きな力を必要とすることなく無理なく行うことができる。
更に、上板部に形成される円形の規制孔は勿論のこと、上板部に形成される達磨型の保持孔も板面を必要最小限の範囲で切除するに過ぎないので、ホルダ本体の強度を低下させることがない。
【００２２】
また、請求項２に係る発明によれば、固定バンドによって複数のボトルの下部をまとまった状態で保持するので、運搬中にボトル下部が互いに離れる方向に振れて不安定になることがない。
【００２３】
また、請求項６の発明によれば、吊下げ部材が基端部を下板部に着脱自在に固定されているので、吊下げ部材をホルダ本体から簡単に取り外すことができる。
特に、この紐状もしくは帯状部材を携帯電話のストラップとしても利用できる。
【発明を実施するための最良の形態】
【００２４】
以下、本発明を図示した実施例に基づいて詳説する。
図１は、本発明の一実施例に係るペットボトル用のホルダの外観斜視図である。
図中符合１は、４本のペットボトルBを保持するためのホルダ本体で、ＰＰなどの合成樹脂板によって略正方形状の上板部２と下板部３とこれら両板部２，３を連結するヒンジ部４とから成る。
【００２５】
下板部３には、だるま型をした４個の保持孔５が形成されている。
保持孔５は、ペットボトルBの頭部B1よりもやや大きな径の大径部５ａと、ペットボトルBの頭部B1よりも小さく頸部B2よりやや大きめの小径部５ｂとから成る。小径部５ｂと大径部５ａとの境をなすくびれ部５ｃは、ペットボトル頸部B2の径とほぼ等しい間隔に形成されている。
各保持孔５は、小径部５ｂに頸部B2を保持されたペットボトルBが互いに干渉することなく直立状態で保持される位置に設けられている。
また下板部３の中央部には、後述する吊下げ部材９が通過可能なスリット６が形成されている。
【００２６】
上板部２は、ヒンジ部４を介して下板部上方に折り返して対面させたときに下板部３の上記4個の保持孔５の小径部５ｂと重なる位置に、ペットボトル頭部B1の径方向移動を規制する規制孔７が形成されている。規制孔７は、ペットボトル頭部B1の径とほぼ同じ径を有する。
上板部２の中央部にも、吊下げ部材９が通過可能なスリット８が形成されている。
【００２７】
９はホルダ本体１を吊り下げるための吊下げ紐で、携帯電話のストラップとして使用可能な細帯状の紐材から成る。吊下げ部材９の基端部９ａは、図４に見られるように下板部３のスリット６を通過不能な厚みを持ち、所望のマスコットや飾り部材の取付け部１０が設けられている。
吊下げ部材９は、基端部９ａを下板部３のスリット周縁部に下方から係止させ、残りの部分を下板部３のスリット６と上板部２のスリット８を通過させて、ホルダ本体１の上方に延びている。
【００２８】
１１は、固定バンドで、弾性を有する素材によって、ホルダ本体１に保持された4本のペットボトルBの全体外周よりもやや小さめの内周を持つリング状もしくは枠状に形成されている。
【００２９】
本ホルダの使用状態を説明する。
ホルダにペットボトルBを保持させるには、先ず、ホルダ本体下板部３の保持孔５の大径部５ａに下方からペットボトル頭部B1を挿入する。次いで、保持孔５の上方にペットボトル頭部B1を突出させた状態でペットボトルBを小径部５ｂの方向へと移動させる。ペットボトルBは、頸部B2が保持孔５の縊れ部５ｃを乗り越えて小径部５ｂ内に収容される。空いている他の３個の保持孔に同様にしてペットボトルＢを保持させる。
【００３０】
4本のペットボトルＢが保持孔５の小径部５ｂに収容された状態で上板部２を被せると、上板部２の４個の規制孔７にそれぞれのペットボトル頭部B1が同時に挿入される。ペットボトル頭部B1が規制孔内に収まることで、ペットボトルBは保持孔内で小径部５ｂから大径部５ａの方向への移動が規制される。
【００３１】
上板部２をペットボトル頭部B1に被せる前あるいは被せた後で、ペットボトルBの下方から４本のペットボトル外周を取り囲むようにして固定バンド１１を取付ける。
【００３２】
ペットボトルBは、上部が保持孔小径部５ｂと規制孔７とによってまた下部が固定バンド１１によって固定されるので、吊下げ紐４を把持して歩行した時にホルダ及びペットボトルに振り子運動が作用しても、不安定な負荷がホルダ本体１にかかることはない。
【００３３】
ペットボトルBをホルダから外すときには、上記と逆の手順で、上板部２を外側に開き、ペットボトル頭部B1をそれぞれ小径部５ｂから大径部５ａへと移行させ、ペットボトル頭部B1を大径部５ａから下方に抜くことにより、ペットボトルBは簡単にホルダから離脱される。
【００３４】
ペットボトルの運搬を終えるなどしてホルダとしての使命を終えた本ホルダは、吊下げ紐９の基端部９ａを下板部３の下方に引き抜くことで、吊下げ紐９がホルダ本体１から簡単に取り外される。取り外された吊下げ紐９は、所望により携帯電話に取付けてストラップとして使用される。
【００３５】
図示しないが、吊下げ部材は、ホルダ本体の下板部両側に連設した把持片であっても良い。把持片は、上板部上方で互いに対面する方向に折曲げられ、把持片に形成された開口部に手指を挿通するなどして吊下げ部材として使用される。こうした把持片を用いる場合、把持片の内側に係止片を突設することにより、この係止片によって上板部両側を押さえ付けて規制孔にボトル頭部を挿通させた状態に維持することができる。
また、紐状あるいは帯状部材によって形成される吊下げ部材は、基端部を適宜の止着部材によって下板部の板面に固着されるようにしても良い。
【００３６】
上板部は、ヒンジ部によって下板部と対面する位置と外側に開く位置とに変位可能になっているが、対面位置で規制孔によってボトル頭部をしっかりと保持するためには、例えば規制孔をボトル頭部よりも若干小さめの径とし、放射方向に多数の切込みを形成すると良い。これにより、上板部を対面位置に変位させたときにボトル頭部が規制孔の切込みを押し開き、変形した規制孔縁部によってボトル頭部が規制孔に保持される。
【００３７】
本発明においてホルダ本体の外形形状は別段制限されるものではなく、また、保持孔の数、すなわち保持されるボトルの数も制限されるものではない。保持孔は、ホルダ本体の板面にバランス良く配置するのが望ましい。本発明は、ホルダ本体の材質や厚みなどを適宜選択することにより、ペットボトル以外のボトルについても適用可能である。
【図面の簡単な説明】
【００３８】
【図１】本発明の一実施例に係るホルダの外観斜視図。
【図２】図１のホルダの使用状態を示す要部の斜視図。
【図３】図１のホルダの使用状態を示す要部の断面図。
【図４】図１のホルダの吊下げ部材の一例を示す要部の断面図。
【図５】図１のホルダの使用状態を示す側面図。
【符号の説明】
【００３９】
１      ホルダ本体
２      上板部
３      下板部
４      ヒンジ部
５      保持孔
５ａ    大径部
５ｂ    小径部
６，８      
スリット
７      規制孔
９      吊下げ紐
１１    固定リング
B      ペットボトル
B1      ボトル頭部
B2      ボトル頸部
【図１】
2005313923.tif 000003
【図２】
2005313923.tif 000004
【図３】
2005313923.tif 000005
【図４】
2005313923.tif 000006
【図５】
2005313923.tif 000007